(57)【要約】【課題】縫い目が開くのを防止することができる、撥水加工された衣服を提供する。【解決手段】衣服１における撥水加工は、所要の縫い目２を含みその縫い目２に沿う所要の縫い合わせ部３を除くように施される。こうして、所要の縫い合わせ部３は、撥水加工が施されていないので、その縫い合わせ部３は、撥水加工によって生地の糸と糸との間の摩擦係数が減少して滑脱が起こり易い状態になるようなことはない。したがって、人の立振舞等によって、衣服１の縫い合わせ部３を引っ張るように力が作用して、縫い目２にその力が集中する場合であっても、その縫い目２が開くのが防止される。【選択図】  図１
2004250843.tif 000002
【特許請求の範囲】
【請求項１】
撥水加工が施された衣服であって、
前記撥水加工は、前記衣服における、所要の縫い目を含みその縫い目に沿う所要の縫い合わせ部を除くように施されていることを特徴とする、撥水加工された衣服。
【請求項２】
前記衣服は、洋服であることを特徴とする、請求項１に記載の、撥水加工された衣服。
【請求項３】
前記衣服の生地は、絹または、絹と他の繊維とを混合した繊維からなることを特徴とする、請求項１または２に記載の、撥水加工された衣服。
【請求項４】
前記衣服の生地は、縮緬からなることを特徴とする、請求項３に記載の、撥水加工された衣服。
【請求項５】
請求項１ないし４のいずれか１項に記載の、撥水加工された衣服の、製造方法であって、
撥水加工が施される前の前記衣服において、前記縫い合わせ部に、マスキング材によりマスキングを施し、
次いで、スプレーあるいはその他の適宜手段により、前記衣服に撥水加工を施し、
その後、前記マスキング材を除去することを特徴とする、撥水加工された衣服の製造方法。
【請求項６】
請求項１ないし４のいずれか１項に記載の、撥水加工された衣服の、製造方法であって、前記衣服を仕立てるための、裁断された生地に、前記縫い合わせ部となる特定部を除くように、撥水加工を施し、
その後、前記裁断された生地を縫製することを特徴とする、撥水加工された衣服の製造方法。
【請求項７】
請求項１ないし４のいずれか１項に記載の、撥水加工された衣服の、製造方法であって、前記衣服を仕立てるための、裁断前の生地に、前記縫い合わせ部となる特定部を除くように、撥水加工を施し、
その後、前記生地を裁断し、そして、その裁断された生地を縫製することを特徴とする、撥水加工された衣服の製造方法。
【発明の詳細な説明】
【０００１】
【発明の属する技術分野】
この発明は、撥水加工された衣服、およびその撥水加工された衣服の製造方法に関するものである。
【０００２】
【従来の技術】
従来、衣服に撥水加工を施すことがあった。このとき、その衣服の生地において、生地の糸と糸との間の摩擦係数が減少し、滑脱（スリップ）が起こり易い状態となっていた。
【０００３】
【発明が解決しようとする課題】
ところで、前記従来の、撥水加工された衣服にあっては、人の立振舞等によって、衣服の縫い合わせ部を引っ張るように力が作用すると、縫い目に力が集中し、そして、その力の集中と前記摩擦係数の減少とが相乗的に作用して、前記縫い目が開いてしまう虞があった。そして、この現象は、絹織物に顕著に現われ、その絹織物のうちでも、さらに縮緬に、より一層顕著に現われ、特に、この縮緬の生地を用いた洋服は、実用化が困難とされていた。
【０００４】
この発明は、上記した従来の欠点を解決するためになされたものであり、その目的とするところは、縫い目が開くのを防止することができる、撥水加工された衣服、およびその撥水加工された衣服の製造方法を提供することにある。
【０００５】
【課題を解決するための手段】
この発明に係る撥水加工された衣服、およびその撥水加工された衣服の製造方法は、前記目的を達成するために、次の構成からなる。すなわち、
請求項１に記載の発明に係る撥水加工された衣服は、撥水加工が施された衣服であって、前記撥水加工は、前記衣服における、所要の縫い目を含みその縫い目に沿う所要の縫い合わせ部を除くように施されている。このように、この衣服にあっては、所要の縫い合わせ部は、撥水加工が施されていないので、その縫い合わせ部は、撥水加工によって生地の糸と糸との間の摩擦係数が減少して滑脱（スリップ）が起こり易い状態になるようなことはない。したがって、人の立振舞等によって、衣服の縫い合わせ部を引っ張るように力が作用して、縫い目にその力が集中する場合であっても、その縫い目が開くのが防止される。
【０００６】
また、請求項２に記載の発明に係る撥水加工された衣服は、請求項１に記載の衣服において、前記衣服が、洋服となっている。この洋服は、その構成上、人の立振舞等の際に、縫い合わせ部を引っ張るように力が作用し易いが、このような場合であっても、撥水加工を、所要の縫い合わせ部を除くように施すことで、縫い目が開くのが防止される。
【０００７】
また、請求項３に記載の発明に係る撥水加工された衣服は、請求項１または２に記載の衣服において、前記衣服の生地が、絹または、絹と他の繊維とを混合した繊維からなる。このように、衣服の生地に絹を含む場合には、他の生地に比べて滑脱が起こり易くなるが、このような場合であっても、撥水加工を、所要の縫い合わせ部を除くように施すことで、縫い目が開くのが防止される。
【０００８】
また、請求項４に記載の発明に係る撥水加工された衣服は、請求項３に記載の衣服において、前記衣服の生地が、縮緬からなる。このように、衣服の生地が縮緬からなる場合には、他の生地に比べて滑脱がより起こり易くなるが、このような場合であっても、撥水加工を、所要の縫い合わせ部を除くように施すことで、縫い目が開くのが防止される。
【０００９】
また、請求項５に記載の発明に係る撥水加工された衣服の製造方法は、請求項１ないし４のいずれか１項に記載の撥水加工された衣服の、製造方法であって、撥水加工が施される前の前記衣服において、前記縫い合わせ部に、マスキング材によりマスキングを施し、次いで、スプレーあるいはその他の適宜手段により、前記衣服に撥水加工を施し、その後、前記マスキング材を除去する。このように、この製造方法によると、縫い合わせ部にマスキングを施し、そして、スプレーあるいはその他の適宜手段により撥水加工を施すことで、所要の縫い合わせ部を除くようにして、衣服に容易に撥水加工が施される。
【００１０】
また、請求項６に記載の発明に係る撥水加工された衣服の製造方法は、請求項１ないし４のいずれか１項に記載の撥水加工された衣服の、製造方法であって、前記衣服を仕立てるための、裁断された生地に、前記縫い合わせ部となる特定部を除くように、撥水加工を施し、その後、前記裁断された生地を縫製する。この製造方法によると、裁断された生地の段階で、撥水加工が施されるため、平面状の生地に撥水加工を行なうことができる。
【００１１】
また、請求項７に記載の発明に係る撥水加工された衣服の製造方法は、請求項１ないし４のいずれか１項に記載の撥水加工された衣服の、製造方法であって、前記衣服を仕立てるための、裁断前の生地に、前記縫い合わせ部となる特定部を除くように、撥水加工を施し、その後、前記生地を裁断し、そして、その裁断された生地を縫製する。この製造方法によると、生地の裁断前に、撥水加工が施されるため、まとめて撥水加工を行なうことが可能となる。
【００１２】
【発明の実施の形態】
以下、この発明に係る撥水加工された衣服、およびその撥水加工された衣服の製造方法の実施の形態を図面に基づいて説明する。
【００１３】
図１および図２は、本発明に係る撥水加工された衣服、およびその撥水加工された衣服の製造方法の一実施の形態を示す。図中符号１は、撥水加工が施された衣服である。１ａは、撥水加工が施される前の衣服である。
【００１４】
ここにおいて、衣服１（１ａ）は、洋服（図示実施の形態においては、上着ＵとスカートＳ）であって、その生地は、絹または、絹と他の繊維とを混合した繊維からなっている。すなわち、衣服１（１ａ）の生地は、正絹とか、絹とナイロンやポリエステル等の合成繊維とを混合したもの、あるいは、絹とウールや綿や麻等の天然繊維とを混合したものである。そして、撥水加工は、図１にハッチングによって示すように、衣服１における、所要の縫い目２を含みその縫い目２に沿う所要の縫い合わせ部３を除くように、その表地に（好ましくはその表地全部に）施されている。図示実施の形態においては、所要の縫い目２は、上着Ｕにあっては、前身頃４の正面部４ａと側面部４ｂとを縫い合わせる縫い目２ａや、前身頃４の側面部４ｂと後ろ身頃５とを縫い合わせる縫い目２ｂや、前身頃４の正面部４ａと後ろ身頃５とを肩線で縫い合わせる縫い目２ｃや、前身頃４および後ろ身頃５と袖６とを縫い合わせる縫い目２ｄ等が相当する。そして、スカートＳにあっては、所要の縫い目２は、各パーツ７、７を縫い合わせる縦方向の縫い目２ｅ、２ｅが相当する。そして、この縫い目２に沿う縫い合わせ部３は、例えば、１ｃｍ〜３ｃｍ程度の幅を有している。
【００１５】
この撥水加工された衣服１によると、所要の縫い合わせ部３は、撥水加工が施されていないので、その縫い合わせ部３は、撥水加工によって生地の糸と糸との間の摩擦係数が減少して滑脱（スリップ）が起こり易い状態になるようなことはない。したがって、人の立振舞等によって、衣服１の縫い合わせ部３を引っ張るように力が作用して、縫い目２にその力が集中する場合であっても、その縫い目２が開くのを防止することができる。特に、この衣服１が洋服であると、その構成上、人の立振舞等の際に、縫い合わせ部３を引っ張るように力が作用し易いが、このような場合であっても、撥水加工を、所要の縫い合わせ部３を除くように施すことで、縫い目２が開くのが防止される。その上、衣服１の生地に絹を含む場合には、他の生地に比べて滑脱が起こり易くなるが、このような場合であっても、撥水加工を、所要の縫い合わせ部３を除くように施すことで、縫い目２が開くのが防止される。そして、前記縫い合わせ部３を除く部分は、撥水加工が施されているので、この衣服１の撥水性能を殆ど損なうことはない。
【００１６】
この撥水加工された衣服１の製造方法は、始めに、図２に示すように、撥水加工が施される前の衣服１ａにおいて、所要の縫い合わせ部３に、例えば粘着テープ等のマスキング材Ｍによりマスキングを施す。次いで、例えば、防水スプレーを用いて、フッ素樹脂、シリコーン樹脂等の撥水剤をスプレーしたり、あるいはその他の適宜手段（例えば、スプレーの他に塗布等）により、衣服１ａに撥水加工を施す。その後、前記マスキング材Ｍを除去する（図１参照）。
【００１７】
このように、この製造方法によると、衣服１ａの縫い合わせ部３にマスキングを施し、そして、スプレーあるいはその他の適宜手段により撥水加工を施すことで、所要の縫い合わせ部３を除くようにして、衣服に容易に撥水加工を施すことができる。
【００１８】
なお、本発明は、上述した実施の形態に限定されるわけではなく、その他種々の変更が可能である。例えば、衣服１（１ａ）は、洋服（ジャケット、ブラウス、スカート、スラックス、ズボン、スーツ等）でなくとも、和服であってもよい。
【００１９】
また、衣服１（１ａ）の生地は、特に、縮緬からなっていてもよい。このように、衣服１（１ａ）の生地が縮緬からなる場合には、他の生地に比べて滑脱がより起こり易くなるが、このような場合であっても、撥水加工を、所要の縫い合わせ部３を除くように施すことで、縫い目２が開くのを防止することができる。
【００２０】
また、衣服１（１ａ）の生地は、絹を含む素材でなくとも、ナイロンやポリエステル等の合成繊維、あるいは、ウールや綿や麻等の天然繊維からなっていてもよい。
【００２１】
また、撥水加工された衣服１の製造方法においては、仕立てられた衣服１ａに撥水加工を施すのではなく、衣服１ａを仕立てるための、裁断された生地に、所要の縫い合わせ部３となる特定部を除くように、撥水加工を施し、その後、裁断された生地を縫製することで、撥水加工された衣服１を製造してもよい。そして、この製造方法によると、裁断された生地の段階で、撥水加工が施されるため、平面状の生地に撥水加工を行なうことができ、その結果、効率的に撥水加工を施すことができる。
【００２２】
さらに、この製造方法においては、衣服１ａを仕立てるための、裁断前の生地に、所要の縫い合わせ部３となる特定部を除くように、撥水加工を施し、その後、前記生地を裁断し、そして、その裁断された生地を縫製することで、撥水加工された衣服１を製造してもよい。この製造方法によると、生地の裁断前に、撥水加工が施されるため、まとめて撥水加工を行なうことが可能となり、その結果、より効率的に撥水加工を施すことができる。
【００２３】
また、撥水加工を施す際のマスキングにおいて、マスキング材Ｍは、粘着テープに限定されるものでなく、例えば米糊（モチ米糊）等の糊であってもよい。すなわち、糊を、所要の縫い合わせ部３に塗布し、撥水加工を施した後に、水に浸す等により、その糊を除去してもよい。
【００２４】
また、撥水加工を施す際に、マスキングを施すことなく、所要の縫い合わせ部３を除くように撥水加工を施すことができるのであれば、このマスキングは省略してもよい。
【００２５】
【発明の効果】
以上、詳述したところから明らかなように、この発明に係る撥水加工された衣服、およびその撥水加工された衣服の製造方法によれば、次の効果がある。
【００２６】
請求項１ないし４に記載された撥水加工された衣服によれば、縫い合わせ部を除くように、撥水加工が施されており、その縫い合わせ部は、滑脱（スリップ）が起こり易い状態になることもないので、人の立振舞等によって、衣服の縫い合わせ部を引っ張るように力が作用した場合に、縫い目が開くのを防止することができる。
【００２７】
また、請求項５に記載された撥水加工された衣服の製造方法によれば、衣服の縫い合わせ部にマスキングを施し、そして、スプレーあるいはその他適宜手段により撥水加工を施すことで、所要の縫い合わせ部を除くようにして、衣服に容易に撥水加工を施すことができる。
【００２８】
また、請求項６に記載された撥水加工された衣服の製造方法によれば、裁断された生地の段階で、撥水加工を施すことで、平面状の生地に撥水加工を行なうことができる。
【００２９】
また、請求項７に記載された撥水加工された衣服の製造方法によれば、生地の裁断前に、撥水加工を施すことで、まとめて撥水加工を行なうことが可能となる。
【図面の簡単な説明】
【図１】この発明に係る撥水加工された衣服、およびその撥水加工された衣服の製造方法の一実施の形態の、撥水加工が施された後の衣服を示す正面図である。
【図２】同じく、撥水加工が施される前であって、マスキングが施された衣服を示す正面図である。
【符号の説明】
１  衣服（撥水加工された衣服）
１ａ  衣服（撥水加工が施される前の衣服）
２  縫い目
３  縫い合わせ部
Ｍ  マスキング材
【図１】
2004250843.tif 000003
【図２】
2004250843.tif 000004